Podtech/llm-jp-corpus-v4-ja_patent huggingface dataset:
(57)【要約】      （修正有）【課題】茶こしに脚と網底の下方に滴受けを設けることによって、茶こし置きの容器を用意する手間と後でそれを洗う労働的負担を省く事が出来る茶こしを提供する。【解決手段】茶こし本体１にピン３を通して装着した開閉可能の脚２を設けることで、茶をこした後に開き、卓上に立てることによって、網底が卓の面から離して置けるようにして、更に、網底からの滴を受ける為の滴受け５を設けたものである。【選択図】図１
0003116778.tif 000002
【実用新案登録請求の範囲】
【請求項１】
茶こしに入れた紅茶等の茶葉に湯を注いだ後、茶こし本体にピン３で装着した脚２を開いて立てることによって、卓上に直に茶こしの網の底部が触れないで済むこと。更に、傾斜をもたせた滴受け５を設けることによって、網の底から茶葉をこした後に、滴が垂れて、卓の面を濡らすことを防ぐところを特徴とする茶こし。
【考案の詳細な説明】
【技術分野】
【０００１】  本考案は、茶こし本体の前方にピンを通し、ヒンジにして取り付けた脚、及び網底の下に滴受けを設けた茶こしに関するものである。
【背景技術】
【０００２】  茶こしを使って茶を飲む際、茶葉に湯を注いでティーカップから取り除いた後、網の底部が卓の面に触れないようにする為、又、滴で卓の面が汚れるのを防ぐ為、茶こしを小皿や専用の器に移していた。
【考案の開示】
【考案が解決しようとす課題】
【０００３】  茶こしを使って茶を飲む度、小皿や専用の器を用意する手間、それを後で洗うのは労働的負担である。従って、茶こしに脚と滴受けを設けることにより、本考案は上述の問題点を解決するものである。
【課題を解決するための手段】
【０００４】  本考案は、茶葉に湯を注いだ後、網の上部の枠の留具に収納した脚を引き出し、ピンを通したヒンジによって開くことにより、脚と柄の端で卓の面に網底が接触せずに茶こしを置くことが可能である。又、網底からの垂れる滴も一旦、水平にしてティーカップ上に於て湯を切った時よりも傾くので、傾けて装着した滴受けが受け止めることが可能であり、問題点を解決している。
【実施例】
【０００５】  以下、添付図面に従って一実施例を説明する。１は耐腐蝕性のある金属及び、合成樹脂等の適宜素材にて形成された茶こし本体で、２の脚は、３のピンを通してヒンジに構成されて取り付けてある。使用時は、通常の茶こしと同様に網の中に茶葉を入れて湯を注ぎ、続いてティーカップ上に於て湯を切る。その後、２を４の留具から出して、ａのストッパーまで開くことで、２と柄の端が卓の面に接地するので、卓上に安定した状熊で置くことが出来、茶こしの網底から垂れる滴は、ｂ部に取り付けられた滴受け５が受け止める。
【図面の簡単な説明】
【０００６】
【図１】本考案の茶こしを上から見た図である。
【図２】本考案の茶こしの正面図である。
【図３】下から滴受けを見た図である。
【図４】脚を立てた一実施例を示す図である。
【符号の説明】
【０００７】１．茶こし本体
２．脚
３．ピン
４．留具
５．滴受け
ａ．ストッパー
ｂ．滴受け取り付け部
【図１】
0003116778.tif 000003
【図２】
0003116778.tif 000004
【図３】
0003116778.tif 000005
【図４】
0003116778.tif 000006
【手続補正書】
【提出日】平成17年8月25日(2005.8.25)
【手続補正１】
【補正対象書類名】実用新案登録請求の範囲
【補正対象項目名】全文
【補正方法】変更
【補正の内容】
【実用新案登録請求の範囲】
【請求項１】
茶こしに入れた紅茶等の茶葉に湯を注いだ後、茶こし本体にピン３で装着した脚２を開いて立てることによって、卓の面に直接、茶こしの網の底部が触れてないで済み、更に、傾斜をもたせた滴受け５を設けることによって、網の底から茶葉をこした後に、滴が垂れて、卓の面を濡らさないで済むところを特徴とする茶こし。
(57)【要約】      （修正有）【課題】口腔や口唇の治療・処置時に使用する孔あきタオルにおいて、必要以上に皮膚が露出することのない形状の孔あきタオルを提供し、被処置者に水滴や汚れが付着せず、皮膚への接触も防ぎ、被処置者及び処置者の負担を軽減することが出来るようにする。【解決手段】タオル中央部に、鼻頂部から口唇先端部分にかけて露出する、三角形の孔を空けたタオルである。各角頂点部に丸みを持たせる形状処理である。口唇部下底部の孔の辺に緩やかな弧を持たせる形状処理である。【選択図】図１
0003116773.tif 000002
【実用新案登録請求の範囲】
【請求項１】
タオル中央部に、鼻頂部から口唇先端部分にかけて露出する、三角形の孔を空けることを特徴とする口腔・口唇部分治療・処置専用のタオル。
【請求項２】
各角頂点部に丸みを持たせ、被処置者の皮膚に負担を与えないようにした形状処理。
【請求項３】
口唇部下底部の孔の辺に緩やかな弧を持たせ被処置者及び処置者の負担を軽減する形状処理。
【考案の詳細な説明】
【技術分野】
【０００１】本考案は、口腔や口唇の治療・処置時に適するタオルの孔形状に関する。
【背景技術】
【０００２】従来口腔や口唇の治療・処置時に円状の孔の開いたタオルを使用している。【０００３】ところが、円状の孔では必要以上に皮膚が露出し、水滴や汚れが付着してしまう。【０００４】また、孔が大きいため被処置者の皮膚に処置者の手が触れ、不快感を与える原因となる。
【考案の開示】
【考案が解決しようとする課題】
【０００５】本考察の技術的課題は、このような問題に着目し、タオルの孔の形状を改良することで、被処置者に水滴や汚れが付着せず、皮膚への接触も防ぎ、被処置者及び処置者の負担を軽減することが出来るようにすることにある。
【課題を解決するための手段】
【０００６】本考察の技術的課題は、次のような手段により解決される。請求項１はタオル中央部に、鼻頂部から口唇先端部分にかけて露出する、三角形の孔を空けたタオルである。【０００７】請求項２各角頂点部に丸みを持たせる形状処理である。【０００８】請求項３口唇部下底部の孔の辺に緩やかな弧を持たせる形状処理である。
【考案の効果】
【０００９】鼻頂部から口唇先端部分にかけて露出する、三角形の孔により被処置者の皮膚の露出は最小限になり、水滴や汚れが付着せず、皮膚への接触も防ぐことが出来る。【００１０】各角頂点部に丸みを持たせることにより、被処置者の皮膚への刺激を軽減することが出来る。【００１１】口唇部下底部の孔の辺に緩やかな弧を持たせることにより被処置者が力を入れ口唇を引き上げる必要を無くし、処置者の処置を容易にすることが出来る。
【実施例】
【００１２】図１の孔１のように三角形の穴をタオルに空ける。【００１３】図１の角１のように各角頂点部に丸みを持たせる。【００１４】図１の辺１のように口唇部下底部の孔の辺に緩やかな弧を持たせる。
【図面の簡単な説明】
【００１５】
【図１】本考察の形状を示した平面図である。
【符号の説明】
【００１６】１  孔１  タオルに空ける三角形の穴の形状。
２  角１  各角頂点部の丸みを持たせた形状。
３  辺１  口唇部下底部の孔の辺に緩やかな弧を持たせた形状。
４  タオル１
【図１】
0003116773.tif 000003
【手続補正書】
【提出日】平成17年8月30日(2005.8.30)
【手続補正１】
【補正対象書類名】実用新案登録請求の範囲
【補正対象項目名】請求項２
【補正方法】変更
【補正の内容】
【請求項２】
各角頂点部に丸みを持たせ、被処置者の皮膚に負担を与えないように形状処理した請求項１記載の口腔・口唇部分治療・処置専用のタオル。
【手続補正２】
【補正対象書類名】実用新案登録請求の範囲
【補正対象項目名】請求項３
【補正方法】変更
【補正の内容】
【請求項３】
口唇部下底部の孔の辺に緩やかな弧を持たせ被処置者及び処置者の負担を軽減する形状処理した請求項１記載の口腔・口唇部分治療・処置専用のタオル。
(57)【要約】      （修正有）【課題】結束しやすく仕上げが綺麗なケーブルラックを提供する。【解決手段】この桁の縦溝へ結束バンドを通してやることによりケーブルの固定が容易である。また、縦溝は縦８ｍｍ×横３ｍｍの大きさで、結束バンドを２本同時に通せるので、配線ケーブルの固定が容易であり、結束後の仕上がりが綺麗である。ケーブルの結束部分に斜め方向からの負荷がかからなくなり、配線ケーブルの隙間が空かなくなり見た目にもスッキリしたものになる。結束バンド自体を溝へ通すのでケーブルが桁から外れることがなくなり、落下しない。【選択図】図１
0003116774.tif 000002
【実用新案登録請求の範囲】
【請求項１】
ケーブルラックに穴を設けたことを特徴とするＳＱＲ−１。
【請求項２】
前述ＳＱＲ−１は、複数設けられた縦溝であることを特徴とする請求項１記載のＳＱＲ−１。
【考案の詳細な説明】
【技術分野】
【０００１】  この発明は、ケーブルラック等の結束に用いるＳＱＲ−１の形状に関する。
【背景技術】
【０００２】  従来のケーブル等の結束に用いるケーブルラックの形状は、図２に示すようにケーブルラックの本体▲１▼は、桁が設けられたものである。
【考案の開示】
【考案が解決しようとする課題】
【０００３】しかしながら、以上の技術によればケーブルを結束しにくく、また結束の方向は左右どちらでも良く、仕上がる見た目も汚い。そこでこの発明は、結束し易く仕上がりがきれいなケーブルラックを提供することを課題とする。
【課題を解決するための手段】
【０００４】  以上の課題を解決するために、第一発明は、桁に縦溝を設けたことを特徴とするケーブルラックである。
また第二発明は、ラックの桁に縦溝を設け、この縦溝のある桁は二つおきに複数設けられたことを特徴とするケーブルラックである。
【考案の効果】
【０００５】  第一発明、または第二発明によれば、ケーブルラックの桁に溝を設けたことで結束がし易くなり、仕上がりも綺麗になる。
【考案を実施するための最良の形態】
【０００６】  この発明の一実施形態を、図１に示す。
ケーブルラックの本体▲１▼は鉄製であり、この本体▲１▼には、複数の桁が設けられている。この桁▲２▼には、８ｍｍ間隔で縦８ｍｍ×横３ｍｍの縦溝▲３▼が多数設けられている。【０００７】「実施形態の効果」
この実施形態によれば、この桁の縦溝へ結束バンド「インシュロック」を通してやることによりケーブルの固定が容易である。また、縦溝は縦８ｍｍ×横３ｍｍの大きさで、結束バンド「インシュロック」を２本同時に通せるので、配線ケーブルの固定が容易であり、結束後の仕上がりが綺麗である。縦溝は等間隔に設けられているので、ケーブルの太さや本数に合わせて結束することができる。ケーブルの結束部分に斜め方向からの負荷がかからなくなり、配線ケーブルの隙間が空かなくなり見た目にもすっきりしたものになる。
結束バンド自体を溝へ通すのでケーブルが桁から外れることが無くなり、落下しない。
【図面の簡単な説明】
【０００８】
【図１】この発明の一実施形態を示す斜視図である。
【図２】従来技術を示す斜視図である。
【符号の説明】
【０００９】    ▲１▼  ケーブルラック本体            ▲２▼  桁
▲３▼  縦溝
【図１】
0003116774.tif 000003
【図２】
0003116774.tif 000004
【手続補正書】
【提出日】平成17年8月4日(2005.8.4)
【手続補正１】
【補正対象書類名】実用新案登録請求の範囲
【補正対象項目名】全文
【補正方法】変更
【補正の内容】
【実用新案登録請求の範囲】
【請求項１】
本体桁部分に、配線ケーブル結束バンドを通すための穴を設けたことを特徴とするケーブルラック。
【請求項２】
前述の穴は、桁部分に複数設けられた縦溝であることを特徴とする請求項１記載のケーブルラック。
【手続補正２】
【補正対象書類名】明細書
【補正対象項目名】全文
【補正方法】変更
【補正の内容】
【考案の詳細な説明】
【技術分野】
【０００１】この発明は、ケーブル等の結束に用いるケーブルラックの形状に関する。
【背景技術】
【０００２】従来のケーブル等の結束に用いるケーブルラックの形状は、図２に示すようにケーブルラックの本体▲１▼は、桁が設けられたものである。
【考案の開示】
【考案が解決しようとする課題】
【０００３】しかしながら、以上の技術によればケーブルを結束しにくく、また結束の方向は左右どちらでも良く、仕上がる見た目も汚い。そこでこの発明は、結束し易く仕上がりがきれいなケーブルラックを提供することを課題とする。
【課題を解決するための手段】
【０００４】以上の課題を解決するために、第一発明は、桁に縦溝を設けたことを特徴とするケーブルラックである。また第二発明は、ラックの桁に縦溝を設け、この縦溝のある桁は二つおきに複数設けられたことを特徴とするケーブルラックである。
【考案の効果】
【０００５】第一発明、または第二発明によれば、ケーブルラックの桁に溝を設けたことで結束がし易くなり、仕上がりも綺麗になる。
【考案を実施するための最良の形態】
【０００６】この発明の一実施形態を、図１に示す。ケーブルラックの本体▲１▼は鉄製であり、この本体▲１▼には、複数の桁が設けられている。この桁▲２▼には、８ｍｍ間隔で縦８ｍｍ×横３ｍｍの縦溝▲３▼が多数設けられている。【０００７】「実施形態の効果」この実施形態によれば、この桁の縦溝へ結束バンド「インシュロック」を通してやることによりケーブルの固定が容易である。また、縦溝は縦８ｍｍ×横３ｍｍの大きさで、結束バンド「インシュロック」を２本同時に通せるので、配線ケーブルの固定が容易であり、結束後の仕上がりが綺麗である。ケーブルの結束部分に斜め方向からの負荷がかからなくなり、配線ケーブルの隙間が空かなくなり見た目にもすっきりしたものになる。結束バンド自体を溝へ通すのでケーブルが桁から外れることが無くなり、落下しない。
【図面の簡単な説明】
【０００８】
【図１】この発明の一実施形態を示す斜視図である。
【図２】従来技術を示す斜視図である。
【符号の説明】
【０００９】▲１▼  ケーブルラック本体      ▲２▼  桁▲３▼  縦溝
(57)【要約】      （修正有）【課題】盛り付けされた食材から油（または汁）を多少分離させて、自分の好みに合わせてより少ない油分（または汁）の食材を食することが出来るような皿を提供する。【解決手段】皿の底の形状を水平ではなく斜めに若干の（約５％程度）傾斜をつける。【選択図】図１
0003116777.tif 000002
【実用新案登録請求の範囲】
【請求項１】
皿底の形状を水平ではなく、斜めに若干の（約５°程度）傾斜をつける。
【考案の詳細な説明】
【技術分野】
【０００１】この考案は、煮物・炒め物・サラダ類など油類または汁類が食材と一体になっている料理や食べ物を、食する際に用いる食器皿の形状に関する。
【背景技術】
【０００２】通常の皿は、底部が水平状になっている。
【考案の開示】
【考案が解決しようとする課題】
【０００３】通常の皿に料理を盛り付けすると、炒め物であれば油、また煮物類であれば汁が、料理された（または盛り付けされた）状態のまま食材と一体になっている。
したがって、好み、ダイエット中、塩分控えめ等々から、料理（盛り付け）時より油（または汁）を減らしたく（加減したく）とも、出来なかった。
そこで、この考案は、盛り付けされた食材から油（または汁）を多少分離させて、自分の好みに合わせてより少ない油分（または汁分）の食材を食することが出来るような皿を提供することを課題とする。
【考案が解決しようとする手段】
【０００４】以上の課題を解決するために、第一考案は、皿の底の形状を水平ではなく斜めに若干の（約５％程度）傾斜をつけることである。
【考案の効果】
【０００５】この考案によれば、皿の底が斜めに傾斜していることによって、食材に付着している油（または汁）類が皿の最も深い方へ寄せられ集まってくる。したがって、好み、ダイエット中、塩分控えめ等々から、料理（盛り付け）時より油（または汁）を減らす（加減する）ことが可能となる。
【考案を実施するための最良の形態】
【０００６】この考案の一実施形態を、図１に示す。
皿の底が１（もっとも低い部分）から２（もっとも高い部分）の方に傾斜している。【０００７】「実施形態の効果」
この実施形態によれば、底の傾斜の働きで油類または汁類が底の一番低い部分（１）の方に集まってくる。したがって、好み、ダイエット中、塩分控えめ等々から、料理（盛り付け）時より油（または汁）を減らす（加減する）ことが可能となる。
【図面の簡単な説明】
【０００８】
【０００９】
【図１】この考案の一実施形態を示す側面図・平面図である。
【符号の説明】
【００１０】  １  皿底の最深（低）部
２  皿底の最高部
【図１】
0003116777.tif 000003
【手続補正書】
【提出日】平成17年8月22日(2005.8.22)
【手続補正１】
【補正対象書類名】実用新案登録請求の範囲
【補正対象項目名】全文
【補正方法】変更
【補正の内容】
【実用新案登録請求の範囲】
【請求項１】
皿の底に約５％の傾斜をつけたことを特徴とする傾斜皿
(57)【要約】      （修正有）【課題】歯みがきコップ、歯ブラシを衛生的に整理整頓し使用するためのコップである。歯みがきコップの取っ手に歯ブラシ立てを設けた、ハブラシ立てコップを提供する。【手段】コップの取っ手上部（３）に歯ブラシの柄の通る穴を設ける。取っ手下部（４）に歯ブラシの柄の端を受けるくぼみを設ける。取っ手下部くぼみに穴を（５）設ける。【選択図】図１
0003116784.tif 000002
【実用新案登録請求の範囲】
【請求項１】
コップの取っ手上部（３）に穴を設けたことを特徴とするコップ。
【請求項２】
コップの取っ手下部（４）にくぼみを設けたことを特徴とするコップ。
【請求項３】
コップの取っ手下部くぼみに（５）穴を設けたことを特徴とするコップ。
【考案の詳細な説明】
【考案の詳細な説明】
【技術分野】
【０００１】この考案は歯みがき時に使用するコップに、歯ブラシ立てを設けた歯ブラシ立てコップに関するものである。
【背景技術】
【０００２】従来の歯みがきコップに直接歯ブラシを立てていた。
【考案が解決しようとする課題】
【０００３】歯ブラシがコップからたおれ下に落ちたり、歯ブラシ面を下にして入れた場合コップ底の残りの水分で歯ブラシ面が乾かず、雑菌がわき不衛生である。本考案は、以上の問題点を解決し、歯みがきコップと歯ブラシを整理整頓できるよつになされたものである。
【課題を解決する手段】
【０００４】コップの取っ手上部（３）に歯ブラシの柄の通る穴を設ける。取っ手下部（４）に歯ブラシの柄の端を受けるくぼみを設ける。取っ手下部くぼみに穴を（５）設ける。
本考案は、以上の構成よりなる歯ブラシを立てることのできるコップである。
【考案を実施するための最良の形態】
【０００５】以下、本考案の実施の形態を説明する。
（イ）原材料はポリプロピレン樹脂などとし、歯ブラシの柄をささえてもたおれない大きさ、形のコップとする。
（ロ）コップの取っ手部は歯ブラシの柄の長さに合った大きさにし、取っ手上部（３）に歯ブラシの柄の通る穴を設ける。
（ハ）取っ手下部に歯ブラシの柄の端をささえるくぼみ（４）を設ける。
（ニ）取っ手下部くぼみに水がたまらないように、水ぬき用の穴（５）を設ける。
本考案は以上の構成よりなる。
本考案を使用する場合は、歯ブラシ面を上にし歯ブラシの柄の端をコップ取っ手上部の穴（３）に差し入れ、取っ手下部のくぼみ（４）で歯ブラシの柄の端を受け止め案定させて使用する。
【考案の効果】
【０００６】本考案の歯ブラシ立てコップに歯ブラシを立てることによって、歯ブラシを清潔に使用し、洗面台上等を整理整頓できる。
【図面の簡単な説明】
【図１】本考案の斜視図
【符号の説明】
（１）コップ部
（２）取っ手部
（３）上部穴
（４）下部くぼみ
（５）下部くぼみ穴
【図１】
0003116784.tif 000003
(57)【要約】      （修正有）【課題】フィルター交換時期表示などの電源となるボタン電池を、完全水密構造で封印された電池交換不要の家庭用浄水器において、装置廃棄時に、工具無しでリサイクル目的のボタン電池を取り出せる構造を提供する。【解決手段】完全な防水処理を施したい電装部と電池収納部は樹脂の箱体の内部に収納し、プルトップと薄肉部を有する蓋体を溶着する構造。または、蓋体を樹脂シート状としてイージーピール構造で箱体に接着固定する構造。【選択図】図７
0003116782.tif 000002
【実用新案登録請求の範囲】
【請求項１】
家庭用浄水器のボタン電池収納部の防水処理として、電池および電装部を収納した樹脂製の箱体部に樹脂製の蓋体を超音波またはレーザー加工にて溶着封印したものにおいて、箱体または蓋体に一体的にプルトップタブを形成し、プルトップタブの周囲に薄肉部を形成し、プルトップを引いて薄肉部を破り取るとボタン電池を取り出せる開口部が現れる構造。または、プルトップタブを引っ張ることで、直線状または曲線状に形成した薄肉部に沿って裂け目ができ、そこを押し開くことで電池が取り出せる構造も含まれる。
【請求項２】
家庭用浄水器のボタン電池収納部の防水処理として、電池および電装部を収納した樹脂製の箱体部に、樹脂製シートまたは、樹脂をラミネートした紙を被せ、全周をイージーピール構造となるように接着または溶着し、樹脂製シートまたはラミネート紙には、箱体部から突出するタブを設け、浄水器廃棄時に、このタブを引っ張れば樹脂製シートまたはラミネート紙が箱体部から外れて、容易に電池が取り出せる構造。
【考案の詳細な説明】
【技術分野】
【０００１】
本考案は、フィルター交換時期表示用の電源として使用するボタン電池を、水密構造で隔離収納された、家庭用浄水器に関するもので、資源ゴミとしてボタン電池の回収を容易にする電池収納部の構造である。
【背景技術】
【０００２】
ボタン電池の容量および寿命に対して、消費電力が十分に小さいために、装置の寿命より電池寿命が長いと判断される家庭用浄水器においては、ネジ蓋式などの電池交換のための構造を採用することで水密構造を不安定にすることなく、電装部品と共に電池を収納した樹脂製の箱体を樹脂製の蓋を溶着するなどの方法で封印することで、電池の交換はできなくなるが、水をきらう電装部を確実な水密構造とするものが知られている。
【０００３】
他方、完全な水密構造を開放する手段として、樹脂材料のプルトップ構造（プルトップを引いてプルトップと一体的に成形された樹脂の薄肉部から破り取って、開口部を出現させる構造）は酒パック容器や調味料パックなどで知られており、また他の方法としてインスタント・カップ麺の蓋で知られるイージーピール構造がある。
【考案の開示】
【考案が解決しようとする課題】
【０００４】
電池寿命が製品寿命よりも長いという理由で、ユーザの電池交換を不要にした家庭用浄水器では、安定した確実な水密構造として、樹脂製の箱体に電子回路を含む電装部と電池を収納し、樹脂製の蓋体を超音波加工かレーザー加工によって溶着して封印されるが、資源ゴミとしてボタン電池のリサイクルが推奨されているにも拘らず、廃棄時に簡単に電池を装置から取り外すことができなかった。
【課題を解決するための手段】
【０００５】
樹脂製の箱体に電装部と電池を装填した後、樹脂製の蓋体を箱体に水密封印するように溶着するものに於いて、箱体または蓋体の一部にプルトップを一体的に成形し、プルトップの周囲に薄肉部を設け、プルトップを引っ張ると薄肉部が破れて、電池を取り出す開口部が現れるようにした構造。
【０００６】
または、樹脂製の箱体に電装部と電池を装填した後、蓋体として樹脂製シートで箱体を被うように、イージーピール構造で接着固定し、廃棄時には蓋体と一体の箱体より突出したタブ部を持って引っ張れば蓋が容易に外れる構造。
【考案の効果】
【０００７】
今後益々電池の品質向上が進み寿命が伸びるに連れ、電池交換不要の装置が増えてくると予想される。本考案の電池収納構造であれば、資源ゴミとして回収が期待されているボタン電池のリサイクルを促進する効果がある。
【考案を実施するための最良の形態】
【０００８】
図１は家庭の水道カランに直接取りつけた家庭用浄水器を示してある。図２は浄水器のフィルターを交換するために、フィルターカートリッジを上方に抜き取った状態を示してある。図３および図４はフィルターカートリッジを抜き取った後の本体構造を示してあるが、プルトップのある蓋体を電装部およびボタン電池を収納した箱体に溶着して水密構造を形成されている。本浄水器廃棄時には、プルトップを引っ張れば、蓋体の薄肉部が破断して内部に収納されたボタン電池が露出され、容易に取り外すことができる。
【０００９】
同様の家庭用浄水器において、樹脂シート（ラミネート処理など防水処理した紙も含む）を蓋体として、イージーピール構造を形成するように箱体を被って接着（熱溶着を含む）固定されたものを図５および図６に示した。蓋体のタブを上方に引っ張れば、蓋体は接着部が破断して箱体から取り外すことができる。電装部、ボタン電池は露出され、ボタン電池を容易に取り外すことができる。
【図面の簡単な説明】
【００１０】
【図１】家庭の水道カランに直接取り付けた家庭用浄水器
【図２】フィルターカートリッジを抜き取った状態を示す家庭用浄水器
【図３】プルトップ構造を示す上面図
【図４】プルトップ構造を示す断面図
【図５】イージーピール構造を示す上面図
【図６】イージーピール構造を示す断面図
【図７】プルトップ構造を示す図４の拡大図
【図８】イージーピール構造を示す図６の拡大図
【符号の説明】
【００１１】
１  電装部
２  箱体部
３  蓋体部
４  ボタン電池
５  プルトップ構造
６  イージーピール構造
７  薄肉部
８  樹脂製シート
９  ラミネート紙
１０  溶着部
1１  フィルターカートリッジ
１２  水道カラン
【図１】
0003116782.tif 000003
【図２】
0003116782.tif 000004
【図３】
0003116782.tif 000005
【図４】
0003116782.tif 000006
【図５】
0003116782.tif 000007
【図６】
0003116782.tif 000008
【図７】
0003116782.tif 000009
【図８】
0003116782.tif 000010
【手続補正書】
【提出日】平成17年9月16日(2005.9.16)
【手続補正１】
【補正対象書類名】実用新案登録請求の範囲
【補正対象項目名】請求項１
【補正方法】変更
【補正の内容】
【請求項１】
家庭用浄水器のボタン電池収納部の防水処理として、電池および電装部を収納した樹脂製の箱体部に樹脂製の蓋体を超音波またはレーザー加工にて溶着封印したものにおいて、箱体または蓋体に一体的にプルトップタブを形成し、プルトップタブの周囲に薄肉部を形成し、プルトップを引いて薄肉部を破り取るとボタン電池を取り出せる開口部が現れる構造か、または、プルトップを引っ張ることで、直線上または曲線状に形成した薄肉部に沿って裂け目ができ、そこを押し開くことで電池が取り出せる構造など、プルトップタブとその近くに設けた薄肉部を形成した蓋体とを持ち、プルトップを引くことで、蓋体の薄肉部に沿って破断され密閉されたボタン電池収納部が露わになり、ボタン電池が取り出せる構造。
(57)【要約】      （修正有）【課題】各種家電製品の説明書を地上アナログ器の電子手帳説明書器にあわせ入力チップカードで入力して、液晶ガ面で、任方を見ながら、やじるしの出たボタンを順番におしたり、ねじったり、ずらしたりしてうもれていたむずかしい機能をつかいこなそうとする家電製品などの説明書を提供する。【解決手段】電子手帳説明書器（１）に各種家電を液晶ガ面（３）に、わずらわしくて、むずかしくて使用していなかった機能を、ＯＮ（８）ボタンをおして、液晶ガ面（３）によびだして、やじるし（５）で順番におして行き、あわせ名（４）を１〜１０ぐらいのあわせボタン（７）でえらび、１〜１０までのボタン番号を、よびだしボタン（１０）とし、そして、ＯＮ（入れる）（８）をおせば、液晶ガ面（３）に、実物の家電、リモコンがうつり、それを見ながら、実物のボタンをやじるし（５）の順番におして行き、使用する。【選択図】図１
0003116786.tif 000002
【実用新案登録請求の範囲】
【請求項１】
イ）電子手帳説明書器（１）に各種番号記号ボタンのよびだしボタン（６）、あわせボタン（７）、ＯＮ（入れる）（８）、ＯＦＦ（きる）（９）、よびだし番号ボタン（１０）を設ける。
ロ）電子手帳説明書器（１）に、液晶ガ面（３）を設ける。
ハ）液晶ガ面（３）にわからない事あわせたい事のあわせ名（４）、やじるし（５）を設ける。
ニ）アンテナ（１１）を設け、生活防水にしておりたためるように設ける。
ホ）電子手帳説明書器（１）に情報をおくるハソコン局を設ける。
以上の如く構成された、電子手帳説明書器。
【請求項２】
電子手帳説明書器（１）に、あわせ入力チップカード（２）を設けた請求項１の電子手帳説明書器。
【請求項３】
電子手帳説明書器（１）のかわりに携帯電話器（１２）を使用し設けた請求項１の電子手帳説明書器。
【考案の詳細な説明】
【産業上の利用分野】
【０００１】この考案は、各種家電製品などの説明書をインターネット局からガ面にうつして、１、２、３…とボタンをおして使用するといつた、電子手帳説明書器に関するものである。
〔従来の技術〕
【０００２】従来の各種家電製品などの説明書は文が長がすぎたりして、みずらく、ややこしくて、又、全部の機能をつかいこなせず宝のもちぐされでした。
〔考案が解決しようとする課題〕
【０００３】したがって、各メーカーの各種家電製品に使用でき、コストがやすければチップカードを使用する。
〔課題を解決するための手段〕
【０００４】いま、その構成を説明すると、
イ）電子手帳説明書器（１）の各種、各番号、記号（６）（７）（８）（９）をおして、液晶ガ面（３）に、１、２、３…と記号のやじるし（５）が出て順番にあわせたい製品のボタンをおして行けば、わからなかった操作、あわせ方ができる。
ロ）あわせチップカード（２）に説明書を入力して液晶ガ面（３）にうつるようにし、１、２、３…とあわせたい製品のボタンをおして行く。
ハ）携帯電話器（１２）でも操作ができるようにして設ける。
〔作用〕
【０００５】本案は、以上のような構造であるから、これを使用すれば、いままで使用されていなかつた機能をつかいこなすことが出きるようになり又、各スポーツの情報をパソコン局にアクセスすればしりたいこと、選手の経歴、チームの情報などが液晶ガ面（３）にうつりだしてテレビを見ているのが楽しくなります。まだまだたくさんの事が出きるようになります。
〔実施例〕
【０００６】
0003116786.tif 000003
で受信して液晶ガ面（３）にボタンをおしてうつしだして、わからないそうさを、１、２、３…のやじるし（５）と順番におして行き操作をする。
〔考案の効果〕
【０００７】だから使用されていなかった機能が、かんたんにつかえるようになり紙の説明書を見てパラパラとさがすこともなくスムーズにさがせてつかっていなかつた機能がつかえるようになりますし、又、スポーツ、カーナビ、などなどの機能も使用することができ、ゲームもたのしめたりできます。
【図面の簡単な説明】〔図１〕
本考案の使用時図
〔図２〕
本考案の使用時番号図
〔図３〕
本考案の携帯電話器使用時図
〔図４〕
本考案の携帯電話器番号図
【符号の説明】
１は、電子手帳説明書器
２はあわせ入力チップ
３は液晶ガ面
４はあわせ名
５はやじるし
６はよびだしボタン
７はあわせボタン
８はＯＮ（入れる）
９はＯＦＦ（きる）
１０はよびだし番号ボタン
１１はアンテナ
１２は携帯電話器
【図１】
0003116786.tif 000004
【図２】
0003116786.tif 000005
【図３】
0003116786.tif 000006
【図４】
0003116786.tif 000007
(57)【要約】      （修正有）【課題】パイプ吸い口から出る煙りに広がりを持たせることにより、口内１カ所に煙りが集中する事なく、煙りを口内に広がりを持たせやわらかい口当たりで供給する喫煙用マウスピースを得る。【解決手段】軌道１を出口付近で複数に枝分かれさせ開け出口直前で直線的に出る煙を上下に掘った溝により分散した煙の供給を行う役目を成す。【選択図】図１
0003116781.tif 000002
【実用新案登録請求の範囲】
【請求項１】
気道を複数に枝分かれさせた気道出口付近の上下に掘った溝により煙を分散させて排出する。
【請求項２】
（請求項１）の溝を掘るため排出口の上下を、せり出した形状。
【考案の詳細な説明】
【技術分野】
【背景技術】
【考案の開示】
【０００１】本発明は、パイプでの喫煙において吸い口から出る煙りに広がりを持たせより快適にニコチンを供給させるための、パイプのマウスピース部の構造の発明である
【考案が解決しようとする課題】
パイプ吸い口から出る煙りに広がりを持たせることにより、口内１カ所に煙りが集中する事なく、煙りを口内に広がりを持たせやわらかい口当たりで供給する喫煙用マウスピースを得る
【課題を解決するため手段】
本来１の軌道を出口付近で複数に枝分かれさせ開け出口直前で直線的に出る煙を上下に掘った溝により分散した煙の供給を行う役目を成す。
【考案の効果】
【０００２】たばこの風味を損なわずマイルドな風味と口当たりを得られる。
【考案を実地するための最良の形態】
【０００３】マウスピースの幅に合わせ複数の軌道を開け幅いっぱいに煙が広がる形状が好ましい、また衛生面から清掃用具が挿入出来る程の角度の枝分かれが理想的な形状とする。
【実地例】
【０００４】このマウスピースにより口内の１箇所にニコチンが集中する事による刺激を軽減できタバコの風味を柔らかく、快適に喫煙することが出来た。
【産業上の利用可能性】
【０００５】煙を拡散させより口当たりがよく快適な喫煙の出来る喫煙具に関するもの
【図面の簡単な説明】
【０００６】
【図１】内部の構造の平面図
【図２】煙の流れを示した平面図
【図３】煙の流れを示した平面図
【符号の説明】
【０００７】１）  気道
２）  複数の気道に枝分かれさせる
３）  上下に溝を掘り［図２］で示すように煙を拡散させる
４）  この部分の構造
５）  一般的な構造のマウスピース
６）  複数の枝分かれした気道のマウスピース
７）  溝を設け拡散出来るマウスピース
【図１】
0003116781.tif 000003
【図２】
0003116781.tif 000004
【図３】
0003116781.tif 000005
【手続補正書】
【提出日】平成17年8月25日(2005.8.25)
【手続補正１】
【補正対象書類名】実用新案登録請求の範囲
【補正対象項目名】全文
【補正方法】変更
【補正の内容】
【実用新案登録請求の範囲】
【請求項１】
・喫煙パイプの気道を複数に枝分かれさせて、煙の出口の上下部をせり出させ、せり出した部分に溝を掘る構造により、排出する煙を幅広く分散させて排出させて、タバコの風味、口当たり、を柔らかくさせる機能を有する喫煙パイプの吸い口。
(57)【要約】      （修正有）【課題】手が疲れず、人目が気にならず、人に迷惑をかけずに、また圧迫感や痛みも感じずに、汗で体や衣服が濡れる・温度が上昇する・わきの下から体臭が生じるなどの不快な現象を解消していくことができるジャバラポンプ付きバンド（ブラジャー）の提供。【解決手段】バンド又はブラジャーのわきの下の部分に小型のジャバラポンプを取り付ける。力を抜いて腕を垂らした状態で、わきの下に隙間ができ、通気性がよくなって汗が蒸発しやすくなるとともに、濡れた衣服が体に密着しなくなる。わきの下を締めることによって上向きに空気が出てくるため、わきの下にかいた汗が更に蒸発しやすくなる。【選択図】図１
0003116799.tif 000002
【実用新案登録請求の範囲】
【請求項１】
背中でクロスさせ、胸の部分にバックルをつけた構造をもち、わきの下部分に上向きの空気噴出口をもつ小型ジャバラポンプを装着した、下着の下につける木綿製のバンド。
【請求項２】
わきの下部分に、上向きの空気噴出口をもつ小型ジャバラポンプを装着したブラジャー。
【考案の詳細な説明】
【技術分野】  わきの下部分に隙間を空けるととちに送風し、わきの下を快適に保つ。
【考案の開示】
【背景】
【０００１】  夏になると大量の汗が出るため、汗で体が濡れることによって不快感が生じる。下着やシャツ等の衣服も汗で濡れ、濡れた衣服が体に密着するようになり、不快感が増すとともに通気性が悪くなり、汗の蒸発量が低下して温度が上昇し、更に不快感が増す。つまり、熱いから発汗する→衣服が濡れて体に密着する→通気性が低下する→汗の蒸発量が低下する→更に熱くなって発汗する→・・・といった悪循環が生じ、不快感がとめどなく上昇していくことになる。特にアポクリン腺が発達している人は、わきの下から脂質分が多くにおいが強い汗が大量に出ることにより、体や衣服が濡れることによる不快感や温度上昇による不快感の他、強い体臭による不快感も付け加わることになる。また反対に、衣服を濡らした水分はその後蒸発していき、体から熱を奪い、体温が下がり過ぎて風邪をひくなどということも起こる。
【考案が解決しようとする課題】
【０００２】  上記の悪循環を断ち切ることが必要である。そのためにはまず、通気性をもたせてなるべく汗を蒸発させやすくすると同時に、衣服が濡れて密着しないように、体と衣服の間に隙間を空ける必要がある。
また、かいた汗を効率よく蒸発させていくことができれば、濡れることによる不快感を解消させることができ、また蒸発によって潜熱が奪われるため、温度上昇による不快感も解消させることができる。水分を効率よく蒸発させるためには、温度を上昇させるか風を送るしかない。夏は暑いから風を送るしかない。自然の風やクーラー・扇風機の風を利用できない状況では、自分で風を作り出すしかない。手持ち式の小型扇風機やうちわや扇子も役に立つが、持っている手がすぐに疲れてくるし、場所によっては人目が気になったり、狭い場所では人迷惑になったりする。手が疲れず、人目が気にならず、人に迷惑をかけずに、体に風を送る方法が望まれる。
【課題を解決するための手段】
【０００３】  バンド又はブラジャーのわきの下の部分に小型のジャバラポンプを取り付ける。力を抜いて腕を垂らした状態で、わきの下に隙間ができ、通気性がよくなり汗が蒸発しやすくなるとともに、濡れた衣服が体に密着しなくなる。ジャバラポンプは伸縮性があるため圧迫感や痛みも生じない。
わきの下を締めることによって上向きに空気が出てくる（風が生じる）ため、わきの下にかいた汗が更に蒸発しやすくなり、濡れることによる不快感が解消するとともに、蒸発によって潜熱が奪われるために温度が下がり、温度上昇による不快感も解消することができる。また汗が早く蒸発するため、体臭による不快感も解消することができる。
また、わきの下を大きく開いた状態で風を送りたい時は、わきの下を大きく開いて手でポンプを押せばよい。
【考案の効果】
【０００４】  手が疲れず、人目が気にならず、満員電車の中ですら人に迷惑をかけずに、また圧迫感や痛みを感じることもなく、またあまりお金をかけることもなく、汗で体が濡れる・衣服が濡れる・濡れた衣服が体に密着する・通気性が悪くなる・高温になる・更に汗が出てくる・強い体臭が出る・・・といった不快な現象を解消していくことができる。
【考案を実施するための最良の形態】
【０００５】  空気が出る時の音は、なるべく小さく抑えることが望ましい。ジャバラポンプの高さは調節できることが望ましい（体型に合わせ、また気温・湿度やＴＰＯに応じて調節できることが望ましい）。また、ジャバラポンプの中に氷やドライアイスのかけらを入れれば、更に効果が上がることが期待できる。また使用に際して、襟元や袖口がなるべく開いた服を着用し、上着の裾はズボンに入れないようにすれば、なお効果的である。
【図面の簡単な説明】
【０００６】
【図１】ジャバラポンプ付きバンド（男性用）
【図２】ジャバラポンプ付きブラジャー（女性用）
【符号の説明】
【０００７】１  木綿製のバンド
２  小型ジャバラポンプ
２ａ  空気噴出口
２ｂ  本体
３  バックル
【図１】
0003116799.tif 000003
【図２】
0003116799.tif 000004
(57)【要約】      （修正有）【課題】車両の発進及び停止等による燃料タンク内の油面ウェーブ現象により、トラック等給油距離の短い車両の燃料タンクの給油キャップエアーブリーザ（通気口）部からの燃料漏れを防止するための車両用燃料タンク給油口漏れ防止装置を提供する。【解決手段】給油口ＡのリングプレートＢにスプリング式にて開閉板Ｃを設ける事により、給油時以外は給油ガン挿入口Ｄが塞がれた状態で、燃料の噴上げを防止し、従来起こっていた、給油キャップの通気口から燃料が流れ込むことによる給油キャップ外部への燃料漏れを防止することができる。【選択図】図１
0003116795.tif 000002
【実用新案登録請求の範囲】
【請求項１】
トラック等給油距離が短い車両の燃料（軽油）タンク給油キャップ（以下給油キャップと言う）に開閉板を設け、その開閉板をスプリング式にすることにより、給油口の給油時以外、給油口の開閉部を覆い、燃料漏れを防ぐことを特徴とする給油キャップである。
【考案の詳細な説明】
【技術分野】
【０００１】  この考案は、給油キャップ及び給油口の構造に関する。
【背景技術】
【０００２】  従来の給油キャップは、エアーブリーザー（通気口）の位置を燃料の噴上げが掛かりにくい位置にするか、又はパッキンの形状を渦巻き形にして空気の通路を確保しながら極力燃料の漏れを防止するものである。
【考案の開示】
【考案が解決しようとする課題】
【０００３】従来技術によれば、エアーブリーザの位置に渦巻状のパッキンを設けて燃料の噴上げを防止してきたが油漏れを完全に止める事は無理であった。そこで、この考案は、エアーブリーザに燃料の噴上げが直接当たらないような開閉板を設け、それをスプリング式にすることにより、給油時以外は開閉部を、燃料漏れを防ぐことを特徴とする。
【考案を実施するための最良の形態】
【０００４】  この考案の一実施形態を、図に示す。
給油キャップＡに開閉板Ｃを設け、開閉板をスプリング式にする事により、給油ガンを引き抜くと、給油ガン挿入口Ｄが自動的に塞がれる。
【実施形態の効果】
【０００５】  この実施形態によれば、車両の発進及び停止等よる燃料タンク内の油面ウェーブ現象による、給油キャップエアーブリーザ（通気口）から入った燃料漏れを阻止し、且つ従来のエアーブリーザの機能も維持する。
【図面の簡単な説明】
【０００６】
【図１】この実施形態では、給油口ＡのリングプレートＢにスプリング式にて、開閉板Ｃを設けることにより、給油時以外には給油ガン挿入口は閉ざされた状態で、燃料の噴き上げを防止する構造となる。
【図１】
0003116795.tif 000003
(57)【要約】      （修正有）【課題】温風式身体加温装置において、温風の熱エネルギーを有効に身体に作用させることのできる手段を供給する。【解決手段】身体の一部を密閉できる容器１を作成し、その容器に空気流入口２と空気流出口３を設けた。【選択図】図１
0003116797.tif 000002
【実用新案登録請求の範囲】
【請求項１】
身体の一部を密閉することのできる容器に、空気流入口と空気流出口とを設けた身体加温装置
【考案の詳細な説明】
【技術分野】
【０００１】  本考案は、身体を加温する装置に関する。
【背景技術】
【０００２】  従来の温風式身体加温装置は、多数の細孔を開けた袋で身体を覆い、その袋に加温した空気を流入させ、細孔から流出する温風により身体を加温するものである。
【考案の開示】
【考案が解決しようとする課題】
【０００３】  しかし、従来の温風式身体加温装置では、温風が身体の周囲から大気中に逃げるために、温風の熱エネルギーが身体に有効に作用しないことがある。この場合には十分な身体加温を行うことができない。
【課題を解決するための手段】
【０００４】  本考案の温風式身体加温装置では、四肢などの身体の一部を密閉できる容器を作成し、その容器に空気流入口と空気流出口を設けた。
【考案の効果】
【０００５】  よって、四肢などの身体の一部をこの容器で密閉し、空気流入口と空気流出口を通じて容器の内部に加温した空気を環流させることにより、温風の熱エネルギーを密閉された身体の部分に有効に作用させることができる。身体の一部分の加温であっても、与えられた熱エネルギーが血流により全身に運ばれることにより十分な身体加温を行うことができるのである。
【考案を実施するための最良の形態】
【０００６】  図１において、身体の一部（下肢４）を密閉することのできる容器１に、空気流入口２と空気流出口３を設け、加温した空気を容器１の内部に環流させる。容器１は、ボックス状のものでも袋状のものでもよい。
【図面の簡単な説明】
【０００７】
【図１】  本考案の密閉型温風式身体加温装置を下肢に用いた状態の断面図である。
【符号の説明】
【０００８】  １  身体の一部を密閉することができる容器
２  空気流入口
３  空気流出口
４  下肢
【図１】
0003116797.tif 000003
(57)【要約】      （修正有）【課題】車両の発進及び停止等による燃料タンク内の油面ウェーブ現象により、トラック等給油距離の短い車両の燃料タンクの給油キャップエアーブリーザ（通気口）部からの燃料漏れを防止する。【解決手段】給油キャップＡに噴上げ防止板Ｃを設ける事により、給油キャップを締めると、給油ガン挿入口Ｆを塞ぎ、従来起こっていた給油キャップのエアーブリーザ（通気口）Ｂからの燃料流れ込みによる給油キャップ外部への燃料漏れを防止することができる。【選択図】図１
0003116794.tif 000002
【実用新案登録請求の範囲】
【請求項１】
トラック等タンクへの給油距離が短い車両の燃料（軽油）タンク給油キャップ（以下給油キャップと言う）に噴上げ防止板を設けた構造を特徴とするキャップである。
【考案の詳細な説明】
【技術分野】
【０００１】  この考案は、給油キャップ及び給油口の構造に関する。
【背景技術】
【０００２】  従来の給油キャップは、エアーブリーザー（通気口）の位置を燃料の噴上げが掛かりにくい位置にするか、又はパッキンの形状を渦巻き形にして空気の通路を確保しながら極力燃料の漏れを防止するものである。
【考案の開示】
【考案が解決しようとする課題】
【０００３】従来技術によれば、エアーブリーザの位置に渦巻状のパッキンを設けて燃料の噴上げを防止してきたが油漏れを完全に止める事は無理であった。
【課題を解決するための手段】
【０００４】  上記の課題を解決するために、この考案は、給油キャップに噴上げ防止板を設け、燃料の噴き上げを防止すことを特徴とする給油キャップである。
【考案の効果】
【０００５】  この考案によれば、給油キャップに噴上げ防止板を設けた事で給油キャップからの燃料漏れが解決される。
【考案を実施するための最良の形態】
【０００６】  この考案の一実施形態を、図に示す。
給油キャップＡに噴上げ防止板Ｃを設ける事により、給油キャップを締めると、給油口のリングプレートＥの給油ガン挿入口Ｆを塞ぐ。【０００７】「実施形態の効果」
この実施形態によれば、車両の発進及び停止等よる燃料タンク内の油面ウェーブ現象による、給油キャップエアーブリーザ（通気口）から入った燃料漏れを阻止し、且つ従来のエアーブリーザの機能も維持する。
【図面の簡単な説明】
【０００８】
【図１】  この考案の一実施形態を示す図である。
【図１】
0003116794.tif 000003
(57)【要約】      （修正有）【課題】災害により切れた電線の下を通る際安全に移動できる感電防止の傘の提供。【解決手段】先にゴム、本体をプラスティック、手元は、ゴムと感電防止に役に立つ傘である。【選択図】図１
0003116791.tif 000002
【実用新案登録請求の範囲】
【請求項１】
傘自体に電流を通さない事に重点をおき先端にゴム骨組み、しん棒は、プラスチックを使い手にもつ所は、ゴムを使用
金具は、一切使わない接着剤でとめて感電を防ぐための傘
【考案の詳細な説明】
【技術分野】本考案は、傘自体に電流を通さない傘に関するもの
【背景技術】災害時に切れた電線の所を通る際、傘をさして安全に通る事ができる
【考案の開示】
【考案が解決しようとする課題】他の場所へ移ろうとする際、雨がふっても、晴れてても切れた電線の下を通るのは、非常に危険である
この傘をさせば、安全な場所に移動できる
【課題を解決するための手段】本考案は、傘自体電流を通さない事に重点をおき傘の先端にゴムをとりつけ、骨組み棒は、プラスティック手をもつ所にゴムと止め金具は、一切使わない安全を重視した傘である
【考案の効果】一般の傘では、傘をさして歩くのは、危険をともなうこの傘をさせば安全に移動が可能である
【考案を実施するための最良の形態】傘の先端がゴムによりつえにした時は、すべらない人に対しても安全である
出てる部分が全部ゴムでとめてあり万がいち、切れた電線にふれても安全である
【図面の簡単な説明】
【図１】本考案の感電を防ぐための傘の正面図である
【図１】
0003116791.tif 000003
(57)【要約】【課題】  これまで、地球儀は、球体を支えるアームが邪魔で、また、四季の日出・日入の判断がしにくかった。【解決手段】  アーム（２）を球体の中を通して回転軸を兼ねるものとし、リング（１）を設けて昼夜を区別し、季節変化は（１）と（２）の角度を調節して対応する。【選択図】    図１
0003116793.tif 000002
【実用新案登録請求の範囲】
【請求項１】
地球儀であって、球体を支えるアームは、球の中心を貫き、球の回転軸を兼ねる構造で、四季の太陽の高度を判断するためのリングを備えたもの。
【考案の詳細な説明】
【技術分野】０００１    本考案は、地球儀に関する。
【背景技術】０００２    これまでの地球儀は、球体を支えるアームが邪魔で、また、地軸を傾斜させてはいても、太陽高度を直感しにくいものであった。
【考案の開示】
【考案が解決しようとしている課題】
０００３    アームで隠れる部分を少なくすること。
０００４    太陽の当たっている半球と当たっていない半球を区別すること。
【課題を解決する手段】
０００５    球体を支えるアームは、球の中心を貫き、回転軸を兼ねる構造とする。
０００６    球体の周りに球体を二分するリングを設ける
【考案の効果】
０００７    アームの場所を変えたことによって、球面の見通しが良くなった。この効果は北極圏において顕著で、この方向からの世界の位置関係を再認識した。
０００８    昼夜を区別するリングを設けて、初めて気が付いたことが多数ある。例えば、稚内とシンガポールの夜明けが冬至ではそれ程違わないことや、日本と同じ経度でもオーストラリアの夏至の夜明けはずっと早いこと等である。
０００９    本考案の地球儀で遊んでいるうちに、球体についての幾何学的興味が湧いてきて、学童期から接すれば、空間把握の能力が養われる。
００１０    これまで、地球儀は、装飾品としての需要が勝っていたと思われるが、本考案の地球儀で学習・実用のための役割を取り戻すことができる。
００１１    翻って、装飾品としてみた場合でも、旧来の、西洋兜を思わせる地球儀に対して、本考案は、宇宙の中の地球のイメージがある。兜を捨て、円満な形を見ていれば、潜在意識に働きかけて、いつか好ましい影響をおよぼすのではないだろうか。新しいミレニアムにふさわしい地球儀である。
【考案を実施するための最良の形態】００１２    地球儀の球体を支えるアーム（２）は、球の回転軸（３）を兼ねる構造とする。軸は鉛直に対して２３、５度傾斜させ、その下端で横に曲げ、さらに鉛直方向に曲げて台座に取り付ける。この取り付け部分は、図２のように、アームが回転することができる構造にする。
００１３    地球の昼夜を区別するため、球より少し大きい径のリング（１）を図１のように取り付ける。
００１４    アームを回転できる構造にするのは、四季に応じてリングとの角度を変える必要があるからである。その角度は、図３のように、春分・秋分には平行であり、夏至・冬至には直角である。角度を設定することで、四季の日の出・日の入や白夜の様子が分かる。
【産業上の利用可能性】００１５    アームの形態を変え、リングを追加するだけであるから。きわめて簡単に実施できる。
【図面の簡単な説明】
【図１】  本考案の全体の外観
【図２】  アーム及びリングの取り付け部分
【図３】  四季におけるアームとリングの角度
【符号の説明】
１はリング、２はアーム、３は地軸、４は太陽光の方向、
【図１】
0003116793.tif 000003
【図２】
0003116793.tif 000004
【図３】
0003116793.tif 000005
【手続補正書】
【提出日】平成17年8月23日(2005.8.23)
【手続補正１】
【補正対象書類名】実用新案登録請求の範囲
【補正対象項目名】全文
【補正方法】変更
【補正の内容】
【実用新案登録請求の範囲】
【請求項１】
地球儀であって、球体を支えるアームは、球の中心を貫き、球の回転軸を兼ねる構造で、四季の太陽の高度を判断するためのリングを垂直に設けたもので、前記アームとリングの角度を調節するため、アームは、台座への取り付け部分において、鉛直を軸として回転できるもの。